(57)【要約】【課題】  コンクリート側溝と蓋との間とのガタ防止および消音を目的とした消音部材は、コンクリート側溝へ容易かつ確実に固定することと、予めコンクリート側溝に埋め込んだものでは劣化・損傷に伴う交換を容易に行うことが困難であった。【解決手段】  コンクリート側溝の蓋掛かり部の上面に設けた凹孔へ挿入固定するクッション部材突起部の外周に円周状あるいは螺旋状の突出溝を設けることにより、コンクリート側溝へ確実に固定することができる。コンクリート側溝制作時に消音部材としてのクッション部材を埋め込む場合には、クッション部材突起部の外周に螺旋状の突出溝を有するものを使用することにより、そのネジ機能によって、容易に交換することが可能となる。【選択図】  図３
2009249908.tif 000002
【特許請求の範囲】
【請求項１】
コンクリート側溝の蓋掛かり部と側溝蓋との間に載置するガタ防止および消音機能を有する硬質ゴム製のクッション部材であって、コンクリート側溝と側溝蓋の間に介置する小片のゴム板部と、コンクリート側溝の蓋掛かり部に予め設けられた凹孔に挿入固定するための単一の突起部が一体となっており、前記突起部の外周に円周状あるいは螺旋状の突出溝を有することを特徴とするクッション部材。
【請求項２】
請求項１のクッション部材において、ゴム板部と突起部を貫通する小径の貫通孔が設けられ、前記貫通孔の内側に円周状の突出溝を有することを特徴とするクッション部材。
【発明の詳細な説明】
【技術分野】
【０００１】
本発明は、コンクリート側溝と蓋とのガタ防止および消音機能を有するクッション部材に関する。
【背景技術】
【０００２】
消音部材として円状板の弾性板部と該弾性部裏面側の中心部の突出部から成り、この突出部をコンクリート側溝の蓋掛かり部の凹孔に載置するものがある (例えば特許文献１参照)。また、棒状の係合部によりコンクリート側溝と蓋を連結し、該係合部が貫通する円盤状の消音材から成り、係合部をコンクリート側溝の蓋掛かり部の凹部と蓋の凹部に挿入するものがある (例えば特許文献２参照)。この他にも、コンクリート側溝の蓋掛かり部上面に埋設された埋設部と、蓋掛かり部から突出した円柱状の弾性突出部を有し、衝撃吸収部材をコンクリート型枠の穿設された装填孔に装着した状態で、コンクリートを打設する無音側溝（例えば参考文献３）。
【特許文献１】特開２００２−３０９６６２号公報
【特許文献２】特開２００４−３０８３２６号公報
【特許文献３】特開２００７−５６６２１号公報
【発明の開示】
【発明が解決しようとする課題】
【０００３】
しかしながら、上記従来の技術では以下のような課題を有していた。
（１）（特許文献１）では、円盤状の弾性体部により、コンクリート側溝と蓋とのガタ防止および消音機能は有しているが、コンクリート側溝の蓋掛かり部の凹孔へ載置するだけであるため、十分な固定ができないという課題を有していた。
（２）（特許文献２）においても、（特許文献１）と同様にコンクリート側溝および蓋の凹部への十分な固定ができないという課題を有していた。
（３）（特許文献３）においてはコンクリート打設時に衝撃吸収材を埋め込むため、衝撃吸収材はコンクリート側溝へ確実に固定されるが、コンクリート型枠に衝撃吸収材を固定する穿設する装着孔を設けるにあたりコストがかかることと、コンクリート打設後に衝撃吸収剤の交換ができないという課題を有していた。
【課題を解決するための手段】
【０００４】
上記課題を解決するために本発明のクッション部材では以下の特徴を有している。
コンクリート側溝の蓋掛かり部上面に設けた凹孔とクッション部材とを確実に固定するために、クッション部材の突起部の外周に円周状あるいは螺旋状の突出溝を設け、クッション部材突起部をコンクリート側溝の凹孔に挿入した際に、この突出溝がゴムの特性である弾性変形をすることにより、十分な固定ができる特徴を有している。
【０００５】
クッション部材は小径の貫通孔を有しており、これをコンクリート側溝製作用の型枠に予め設けられた突起に固定した状態でコンクリートを打設することにより、製造過程での側溝本体への埋め込みを可能とし、埋め込まれたクッション部材は、その突起部外周の円周状あるいは螺旋状の突出溝により、コンクリート固化後に容易に抜けることを防ぐ特徴を有している。
【０００６】
ガタ防止および消音機能を有するゴム板部の上部外周部は、面取りをした形状とすることにより、現場施工における蓋掛け作業や清掃作業における不慮の引っかかりによる外れを防止する機能を有している。
【０００７】
クッション部材の小径の貫通孔の内側に設けられた円周状の突出溝により、コンクリート側溝製作用の型枠に予め設けられた突起との固定を確実にするとともに、貫通孔からのコンクリートの流入を防ぐ機能を有している。
【０００８】
クッション部材をコンクリート側溝製作用の型枠に予め設けられた突起との固定し、コンクリートを打設する場合には、クッション部材のゴム板部の上面を平坦としていることから、ゴム板部上面へのコンクリートの流入が少なく、また流入した場合にも脱枠後にゴム板部上面のコンクリートを容易に除去することが可能である。
【発明の効果】
【０００９】
請求項１のクッション部材においては、コンクリート側溝へのクッション部材の取り付けが容易であるとともに、クッション部材突起部の外周に設けられた円周状あるいは螺旋状の突出溝により、コンクリート側溝へ確実に固定することができることから、運搬中や作業中の紛失による余剰コストの発生と再装着の手間を抑制することによる効率化が図図られる。
【００１０】
請求項２の機能を有するクッション部材を使用することにより、コンクリート側溝制作時にクッション部材としてのクッション部材を埋め込むことが可能であることから、後工程でクッション部材を取り付ける作業が省略されることにより、作業の効率化が図られる。
【００１１】
本発明のクッション部材は請求項１が有する凹孔への固定による方法と、請求項２が有するコンクリート側溝制作工程での埋め込みという二つの固定方法を有することから、コンクリート側溝の製造者は自社にあった製造方法を選択することができるため、既存型枠の改造において、より低コストな方式を採用することができる。
【発明を実施するための最良の形態】
【００１２】
本発明の実施の形態について、添付した図面を参照し説明する。
図１〜図３に示すように、本発明の実施の形態に係るクッション部材３は、コンクリート側溝１の蓋掛かり部１ａに設けられた凹孔１ｂに、クッション部材３の突起部３ｂを挿入固定し、蓋２との間のガタ防止および消音効果を有するゴム板部３ａを介置させるものである。
【００１３】
コンクリート側溝の蓋掛かり部に設けられた凹孔１ｂに挿入固定されるクッション部材３の突起部３ｂの外周の円周状あるいは螺旋状の突出溝３ｃは、コンクリート側溝１の蓋掛かり部１ａに設けられた凹孔１ｂの内径よりも大きいため、ゴムの弾性変形により確実に固定することが可能であり、またクッション部材中央の貫通孔３ｅにより、突起部の内側への変形を許容する機能を有している。
【００１４】
コンクリート側溝１の蓋掛かり部１ａに設けられた凹孔１ｂに挿入固定されたクッション部材３のゴム板部３ａの上面外周部３ａは図３および図４に示すように面取り形状であり、施工作業で想定される清掃や蓋掛け作業時の接触により外れることを回避する機能を有している。
【００１５】
本発明のクッション部材３は、図４に示すような小径の貫通孔３ｅを有しており、同部を図６および図７に示すコンクリート側溝製作用の型枠４に予め設けておいた突起４ａに挿入固定することにより、コンクリート打設工程においてコンクリート側溝１へ埋め込むことが可能であり、埋め込まれたクッション部材３は、突起部３ｂの外周部の円周状あるいは螺旋状の突出溝３ｃによりコンクリート側溝１とクッション部材３をより強固に固定することができ、クッション部材３を装着する工程を省略することが可能である。
【００１６】
図６および図７に示すように、コンクリート打設時にクッション部材３をコンクリート側溝１へ埋め込む場合には、クッション部材３の突起部３ｂの外周の突出溝３ｃが図５(b)に示す螺旋状のものを採用することにより、供用後にクッション部材３が経年劣化した場合に、螺旋状の突出溝が有するネジ機能により容易に取り外し交換ができる機能を有している。
【００１７】
ここで、クッション部材３の小径の貫通孔３ｅの内側には円周状の突出溝３ｆを有しており、コンクリート側溝製作用の型枠４に設けられた突起４ａへ確実に固定するとともに、クッション部材３の貫通孔３ｅからのコンクリートの流入を遮断する機能を有している。
【実施例】
【００１８】
クッション部材３の材質は硬質ゴムとし、ガタ防止および消音効果を有するゴム板部３ａは外径４０ｍｍ、厚さ４．３ｍｍ、ゴム板部３ａの上面外周部３ｄは上面のから２ｍｍまでを内側へ１．５ｍｍの面取りとした。突起部の長さは１２．５ｍｍとし突起部の外径は先端部を１４．１ｍｍ、末端部を２０ｍｍとした。
【００１９】
クッション部材３のガタ防止および消音効果を有するゴム板部３ａの平面形状は円形としたが、これに限定されずに楕円形、矩形、多角形とすることもできる。
【００２０】
クッション部材３のガタ防止および消音効果を有するゴム板部３ａの上面は平坦としたが、凹溝や独立した凹部をつけることも可能である。
【００２１】
クッション部材３のガタ防止および消音効果を有するゴム板部の上面角部は面取りとしたが、面取りをしない形状とすることも可能である。
【００２２】
クッション部材３の突起部３ｂの外周部の円周状あるいは螺旋状の突出溝３ｃは突出高さを１ｍｍとし、突出溝の断面形状は正三角形としたが、これに限定されず、半円形、矩形とすることもできる。
【００２３】
クッション部材３の突起部３ｂの外周部の円周状あるいは螺旋状の突出溝３ｃは、円周状の場合の溝は２本、螺旋状の場合は３巻としたが、これに限定されず本数や巻数は増減することができる。
【００２４】
クッション部材３の中央の貫通孔３ｅは円形としたが、これに限定されずに、矩形や星形とすることができる。
【００２５】
クッション部材３の中央の貫通孔３ｅは円形とし、その直径は８ｍｍとしたが、大きさは変えることができる。
【図面の簡単な説明】
【００２６】
【図１】本発明のクッション部材を装着したコンクリート側溝の断面図である。
【図２】同クッション部材を装着したコンクリート側溝の平面図である。
【図３】同クッション部材を装着したコンクリート側溝の断面側面図である。
【図４】同クッション部材の上下からの斜視図である。
【図５】同クッション部材の正面図である。
【図６】同クッション部材をコンクリート側溝製作用の型枠へ装着した断面側面図である。
【図７】同クッション部材をコンクリート側溝製作用の型枠の突起へ装着した断面側面図である。
【符号の説明】
【００２７】
１    コンクリート側溝
１ａ  コンクリート側溝の蓋掛かり部上面
１ｂ  コンクリート側溝の蓋掛かり部上面に設けられた凹孔
２    コンクリート側溝用蓋
３    本発明によるクッション部材
３ａ  同クッション部材のガタ防止および消音機能を有するゴム板部
３ｂ  同クッション部材の突起部
３ｃ  同クッション部材の突起部の外周に設けられた円周状あるいは螺旋状の突出溝
３ｄ  同クッション部材のゴム板部の上部外周部の面取り部
３ｅ  同クッション部材中央の貫通孔
３ｆ  同クッション部材中央の貫通孔の内側の円周状の突出溝
４    コンクリート側溝製作用の型枠
４ａ  コンクリート側溝製作用の型枠のクッション部材取り付け用の突起
【図１】
2009249908.tif 000003
【図２】
2009249908.tif 000004
【図３】
2009249908.tif 000005
【図４】
2009249908.tif 000006
【図５】
2009249908.tif 000007
【図６】
2009249908.tif 000008
【図７】
2009249908.tif 000009